(57)【要約】【課題】ファンの軸受温度の上昇が防止されると共に、次販売商品の温度のバラツキを低減することができる、コンベアを具備する自動販売機を得ることを目的とする。【解決手段】  コンベア３の下方に設置された熱交換手段５と、熱交換手段５に向かって送風するファン６と、熱交換手段５を通過した空気を斜め上方に案内する床面風ガイド９と、商品収納庫１の側面に設置され、コンベア３の側部に略気密的に対峙する側面風ガイド８と、コンベア３の搬送方向とは反対の端部との間に空気が通過自在な背面通気部を設けて対峙する背面風ガイド７とを有し、空気が商品ラック２に向かって略上方向に流れることを特徴とする。さらに、側面風ガイド８に空気が通過する側面通気穴を設けることにより、さらに広い範囲から空気を商品ラック２に向かった略上方向に流す。【選択図】        図１
2006004322.tif 000002
【特許請求の範囲】
【請求項１】
断熱材によって囲まれ前面が開口した筐体と、商品を搬出するための商品搬出口が設けられた断熱扉とを具備し、該断熱扉によって前記前面が開閉される商品収納庫と、
該商品収納庫内に配置され、商品を収納して順次下方に搬出する機能を有する商品ラックと、
前記商品ラックから落下した商品を前記商品搬出口の方向に搬送するコンベアと、
前記商品収納庫の床面に設置され、該コンベアの搬送方向の端部に空気が通過自在な前面通気部を設けて対峙し、該コンベアによって搬送された商品を前記商品搬出口に誘導する商品シュータと、
前記コンベアの下方に設置され、通過する空気を加熱または冷却する熱交換手段と、
前記商品収納庫の背面の一部と略平行に配置され、前記商品ラックの内部を経由して前記熱交換手段に空気を循環するための循環ダクトを形成する循環ダクト板と、
該循環ダクトと前記熱交換手段の間に配置された送風手段と、
該熱交換手段を通過した空気を前記前面通気部に向けて案内する床面風ガイドと、
前記商品収納庫の側面に設置され、前記コンベアの側部に略気密的に対峙する側面風ガイドと、
前記循環ダクト板の商品収納庫側に設置され、前記コンベアの搬送方向とは反対の端部との間に空気が通過自在な背面通気部を設けて対峙する背面風ガイドとを有し、
空気が、主に前記前面通気部および前記背面通気部を経由して前記商品ラックに向かって流れることを特徴とする自動販売機。
【請求項２】
前記側面風ガイドに空気が通過する側面通気穴が設けられて、空気が該側面通気穴を経由して前記商品ラックに向かって流れることを特徴とする請求項１記載の自動販売機。
【請求項３】
前記コンベアが略水平に配置されたチェーンコンベアであって、該チェーンコンベアと、前記側面風ガイドと、前記背面風ガイドと、前記商品シュータと、前記商品収納庫の側面および背面の一部と、前記商品収納庫の床面とによって、前記商品ラックにおける空気圧よりも空気圧が高い範囲が形成されることを特徴とする請求項１または２記載の自動販売機。
【請求項４】
前記床面風ガイドの下流側で、前記床面風ガイドに直接または近接して電気類の接続端子が配置され、該接続端子が前記空気の流れに直接曝されないことを特徴とする請求項１乃至３の何れかに記載の自動販売機。
【請求項５】
前記熱交換手段が、断面矩形の熱交換室に収納され、該熱交換室の内壁に略沿ったコ字状またはロ字状の発熱体を具備することを特徴とする請求項１乃至４の何れかに記載の自動販売機。
【発明の詳細な説明】
【技術分野】
【０００１】
本発明は、缶、ビン、パック、ペットボトル等の容器に入れた飲料等の商品を冷却、もしくは加熱して販売に供する自動販売機に関する。
【背景技術】
【０００２】
図７は背景技術における自動販売機を示す側面視の縦断面図である。自動販売機９００の商品収納庫１は、断熱材によって囲まれ前面（図中、左の垂直面）が開口した筐体１０と、該開口部を開閉する断熱扉１１（前面扉に同じ）によって形成されている。そして、筐体１０の内側には断熱材（斜線にて示す）が設置され、その断熱材の内側に、天面１３、背面１４、床面１５、および図示しない両側面１６が配置されている。また、断熱扉１１は断熱材（斜線にて示す）を具備し、商品Ｓを搬出するための商品搬出口１２が設けられた断熱扉１１（前面扉に同じ）とを具備し、断熱扉１１によって前記前面が開閉される。
【０００３】
また、商品収納庫１には、商品Ｓを収納して順次下方に搬出する機能を有する商品ラック２と、商品ラック２から落下した商品Ｓを商品搬出口１２の方向（図中、左方向、前面方向に同じ）に搬送する略水平に設置されたコンベア３と、コンベア３によって搬送された商品Ｓを商品搬出口１２に誘導する商品シュータ４と、コンベア３の下方に設置され、通過する空気を加熱または冷却する熱交換手段５と、熱交換手段５において熱交換された空気を吸引して循環ダクト１６に送り込む送風手段６（以下「ファン」と称す）とを有している。
なお、循環ダクト１６は、商品収納庫１の背面１４の一部と略平行に配置された循環ダクト板１７によって形成され、送風手段６から送り出された空気を、商品収納庫１の上部に直接誘導している。したがって、空気の循環が容易になっている。図中、空気の流れを模式的に矢印にて示す。
【０００４】
また、商品収納庫１の側面（図示しない）とコンベア３の側部との隙間から商品Ｓがコンベア３からこぼれないようにするための側面商品ガイド（図示しない）と、循環ダクト板１７の前面（商品収納庫１側に同じ）に設置され、コンベア３の搬送方向とは反対の端部２２から商品Ｓがこぼれないようにするための背面商品ガイド７９が設けられている。
【０００５】
なお、熱交換手段５は、冷却ユニット５０を構成する蒸発器５５と通電加熱手段５８（以下「ヒータ」と称す）とを有し、断面略矩形の筒状ダクト５９（以下「熱交換室」と称す）に収納されている。そして、蒸発器５５または通電加熱手段５８は、当該商品収納庫１に収納される商品Ｓの品種の切り換えや季節の変化に応じて適宜、切り換えて使用されるものである。
【０００６】
図８は背景技術における自動販売機の冷却ユニットを示す構成図である。図８において、自動販売機９００は複数の商品収納庫（図示しない、以下、説明の便宜のため商品収納庫１ａ、１ｂ、１ｃと称する場合がある）を有している。
冷却ユニット５０は、冷媒を圧縮する圧縮機５１と、圧縮機５１によって圧縮された高圧冷媒を凝縮する凝縮器５２と、凝縮器５２によって凝縮された高圧冷媒を各商品収納庫に振り分ける電磁弁５３ａ、５３ｂ、５３ｃと、振り分けられた高圧冷媒を減圧する膨張機構５４ａ、５４ｂ、５４ｃ（電子膨張弁、キャピラリーチューブ等、以下まとめて「膨張機構５４」と称す）と、膨張機構５４を経由して供給された低温低圧冷媒を蒸発させる蒸発器５５ａ、５６ｂ、５６ｃ（以下まとめて「膨張機構５４」と称す）と、蒸発器５５において加熱された低圧冷媒を集積するアキュムレータ５６と、これ等機器を連結する冷媒配管５７とを具備する。
【０００７】
したがって、自動販売機９００は、熱交換手段５が扁平に形成されて、コンベア３が略水平に配置されているため、商品収納庫１の商品収納容積の拡大、すなわち、大型の商品ラック２の設置が可能になっている。また、商品収納庫１の商品収納容積をさらに拡大する目的で、熱交換手段５及びファン６を、商品収納庫１の庫外（床面１５の下方）に配置する発明が開示されている（例えば、特許文献１参照。）。
【０００８】
【特許文献１】特開平１０−２８９３６９号公報（第３−４頁、図５）
【発明の開示】
【発明が解決しようとする課題】
【０００９】
しかしながら、特許文献１に開示された発明には以下の問題がある。
（あ）熱交換手段５の下流側にファン６が配置されるため、ヒータ５８によって加熱された直後の熱風にファン６の軸受（図示しない）が曝されることになる。このため、軸受が高温になりグリースの酸化等によって劣化が進み機器の寿命が短くなる。
（い）また、熱交換された空気は、一旦、商品収納庫１の上部に吹き上げられた後、商品ラック２に収納された商品Ｓと熱交換しながら下降するため、商品ラック２の最下段に収納された商品Ｓ（次販売商品に同じ）の温度がバラツク。このため、商品Ｓの販売タイミング（商品Ｓが商品ラック２のそれぞれの位置に滞在していた時間の履歴に準じる）や、商品Ｓが収納されている商品ラックの位置等によっては、冷却不足や加熱不足が生じることがある。
【００１０】
本発明は上記問題を解決するためのものであり、ファンの軸受温度の上昇が防止されると共に、次販売商品の温度のバラツキを低減することができる、コンベアを具備する自動販売機を得ることを目的とする。
【課題を解決するための手段】
【００１１】
本発明に係る自動販売機は（請求項１）は、断熱材によって囲まれ前面が開口した筐体と、商品を搬出するための商品搬出口が設けられた断熱扉とを具備し、該断熱扉によって前記前面が開閉される商品収納庫と、
該商品収納庫内に配置され、商品を収納して順次下方に搬出する機能を有する商品ラックと、
前記商品ラックから落下した商品を前記商品搬出口の方向に搬送するコンベアと、
前記商品収納庫の床面に設置され、該コンベアの搬送方向の端部に空気が通過自在な前面通気部を設けて対峙し、該コンベアによって搬送された商品を前記商品搬出口に誘導する商品シュータと、
前記コンベアの下方に設置され、通過する空気を加熱または冷却する熱交換手段と、
前記商品収納庫の背面の一部と略平行に配置され、前記商品ラックの内部を経由して前記熱交換手段に空気を循環するための循環ダクトを形成する循環ダクト板と、
該循環ダクトと前記熱交換手段の間に配置された送風手段と、
該熱交換手段を通過した空気を前記前面通気部に向けて案内する床面風ガイドと、
前記商品収納庫の側面に設置され、前記コンベアの側部に略気密的に対峙する側面風ガイドと、
前記循環ダクト板の商品収納庫側に設置され、前記コンベアの搬送方向とは反対の端部との間に空気が通過自在な背面通気部を設けて対峙する背面風ガイドとを有し、
空気が、主に前記前面通気部および前記背面通気部を経由して前記商品ラックに向かって流れることを特徴とする。
【００１２】
本発明に係る自動販売機は（請求項２）は、前記側面風ガイドに空気が通過する側面通気穴が設けられて、空気が該側面通気穴を経由して前記商品ラックに向かって流れることを特徴とする。
【００１３】
本発明に係る自動販売機は（請求項３）は、前記コンベアが略水平に配置されたチェーンコンベアであって、該チェーンコンベアと、前記側面風ガイドと、前記背面風ガイドと、前記商品シュータと、前記商品収納庫の側面および背面の一部と、前記商品収納庫の床面とによって、前記商品ラックにおける空気圧よりも空気圧が高い範囲が形成されることを特徴とする。
【００１４】
本発明に係る自動販売機は（請求項４）は、前記床面風ガイドの下流側で、前記床面風ガイドに直接または近接して電気類の接続端子が配置され、該接続端子が前記空気の流れに直接曝されないことを特徴とする。
【００１５】
本発明に係る自動販売機は（請求項５）は、前記熱交換手段が、断面矩形の熱交換室に収納され、該熱交換室の内壁に略沿ったコ字状またはロ字状の発熱体を具備することを特徴とする。
【発明の効果】
【００１６】
本発明に係る自動販売機（請求項１）は、送風手段は熱交換器の上流に配置され、商品と熱交換した後の空気を熱交換器に送り出しているため、加熱直後の熱風に曝されることがないから、機器の延命が図られる。また、冷却または加熱直後の空気が、コンベアの搬送方向の両端に設けた前面通気部および背面通気部を経由して、商品ラックに向かって吹き上げられるため、次販売商品（商品ラックの最下段に収納されている商品に同じ）には冷却または加熱直後の空気が吹き付けられるから、商品温度のバラツキが低減する。さらに、冷却または加熱直後の空気は、床面風ガイドによって前面通気部に向かって案内されるため、空気の流れが比較的円滑であって送風手段を小容量且つ小サイズにすることができる。
【００１７】
本発明に係る自動販売機（請求項２）は、コンベアの搬送方向に沿って両側に配置された側面通気孔を有するから、冷却または加熱直後の空気は、商品収納庫の前面側から側面を経由して背面側に至る広い範囲において、次販売商品に向かって吹き上げられるため、次販売商品は冷却または加熱直後の空気と熱交換することになり、商品温度のバラツキが低減する。
【００１８】
本発明に係る自動販売機（請求項３）は、コンベアの下方に相対的に空気圧の高い範囲が形成されるため、前面通気部、背面通気部、あるいは側面通気孔を経由して、次販売商品に向かって冷却または加熱直後の空気が確実に吹き出すことになるから、商品温度のバラツキが低減する。
【００１９】
本発明に係る自動販売機（請求項４）は、床面風ガイドの陰に電気類の接続端子が配置されるため、接続端子が冷却または加熱直後の空気に曝されないから、熱による故障や劣化が防止され、保守点検コストが低減する。
【００２０】
本発明に係る自動販売機（請求項５）は、熱交換手段の発熱体が、熱交換室の内壁に略沿って配置され、該配置位置は空気の流れが速い範囲であるから、熱交換効率が向上し、消費電力の低減を図ることができる。
【発明を実施するための最良の形態】
【００２１】
以下、図面に基づいて実施形態を説明する、なお、以下の各図または背景技術（図７）と同じ部分にはこれと同じ符号を付し、一部の説明を省略する。また、図中、空気の流れを矢印にて示しているが、これは概略の方向を模式的に示すものであって、実際は、複雑な流れをしている。
【００２２】
［実施形態１］
（商品収納庫）
図１および図２は本発明の自動販売機に係る実施形態１の構成を模式的に示すものであって、図１は側面視の断面図、図２は側面視の部分拡大断面図である。
自動販売機１００の商品収納庫１は筐体１０と、断熱扉１１によって形成されている。商品収納庫１には、商品ラック２から落下した商品Ｓを商品搬出口１２の方向（図中、左方向、前面方向に同じ）に搬送する略水平に設置されたコンベア３と、コンベア３によって搬送された商品Ｓを商品搬出口１２に誘導する傾斜する商品シュータ４と、コンベア３の下方に熱交換手段５が設置されている。また、商品収納庫１の背面１４の一部と略平行に循環ダクト板１７が設置され、背面１４と循環ダクト板１７との間に循環ダクト１６が形成されている。そして、循環ダクト板１７の下部には開口した循環ダクト吹出口１８が形成され、循環ダクト吹出口１８に連通して熱交換手段５の熱交換室５９が設置されている。
【００２３】
（ファン）
そして、熱交換室５９には、循環ダクト１６に近い位置にファン６が、次に蒸発器５５が、さらにヒータ５８が配置されているから、循環ダクト６内の空気はファン６によって吸引され、順次、蒸発器５５およびヒータ５８を通過して図中、右から左に向かって送り出されることになる。よって、ファン６は加熱直後の熱風に曝されることがなく、軸受が高温にならないから、グリース等の品質が維持され機器の延命を図ることができる。
なお、ファン６は１台に限定するものではなく、比較的小型（背の低い）ものを複数台配置してもよい。このとき熱交換室５９の扁平化（背を低くするに同じ）と相俟って、コンベア３を低い位置に配置することが可能になるから、商品の収納能力が向上する（大型の商品ラック２を配置することができるに同じ）。また、ファン６、蒸発器５５およびヒータ５８が収容されているそれぞれのダクトは連通しているため、これを熱交換室５９と称呼している。
【００２４】
（風ガイド）
コンベア３の搬送方向の端部３１（以下「前面端部」と称す）の下方に空気が通過自在な開口部４０（以下「前面通気部」と称す）を設けて、商品シュータ４が設置されている。また、コンベア３の搬送方向とは反対の端部３２（以下「背面端部」と称す）との間に空気が通過自在な開口部７０（以下「背面通気部」と称す）を設けて、背面商品ガイド７９（以下「背面風ガイド」と称す）が設置されている。さらに、商品収納室１の側面１９に側面風ガイド８が設置され、側面風ガイド８の下縁部は、コンベア３の側縁部（搬送方向に平行で、背面端部３２から前面端部３１の範囲）に略気密的に対峙している。
一方、熱交換室５９の風下で、床面１５に床面風ガイド９が設置されている。床面風ガイド９は熱交換室５９と略同じ幅（図中、奥行き方向）で、風下に向かって高くなるように傾斜した風上面９１を具備し、ファン６によって送り出された空気を、前面通気部４０に向けて案内している。
【００２５】
したがって、ファン６によって送り出された空気は円滑に前面通気部４０を通過し、商品ラック２に吹き上げられることになる。また、風流れが商品シュータ４に衝突して乱れる程度が緩和されるため、比較的容量の小さいファン６でもって空気の循環をすることが可能になる。
また、商品収納庫１は、コンベア３と、商品シュータ４と、背面風ガイド７と、側面風ガイド８とによって、上下に略仕切られた様相を呈するから、コンベア３の下部（ファン６が配置されている範囲）は、コンベア３の上部（商品ラック２が配置されている範囲）に比較して空気圧が高くなり、ファン６によって送り出された空気は背面通気部７０からも、商品ラック２に吹き上げられることになる。
よって、熱交換直後の空気が、商品ラック２の最下端に収納された次販売商品に吹き付けられるから、次販売商品の温度のバラツキが最少になる。また、商品の販売タイミングや商品が収納されている商品ラックの位置等によって、冷却不足や加熱不足が生じることがなくなる。
【００２６】
さらに、床面風ガイド９は、風上面９１の上縁部が所定の幅の水平面９２に形成され、水平面９２の風下側の端部から床面１５に向かって略垂直に切り立った風下面９３を具備している。そして、風下面９３にコネクタ２００が設置されている。したがって、コネクタ２００はファン６によって送り出された空気の流れの中にないため、加熱されて高温になることがないから、機器の延命が図られる。
なお、コネクタ２００の型式は限定するものではなく、電気動力系や電気制御系、あるいは冷媒の配管系等、いずれを連結するものであってもよい。
【００２７】
（商品シュータ）
図３および図４は、図１および図２に示す自動販売機の説明を補足する斜視図であって、一部の構成部材を省略または透視している。以下、構成部材毎に説明する。
商品シュータ４は、上端４１（位置Ａ４とＤ４とを結ぶ辺に同じ）と、下端４２（位置Ｂ４とＣ４とを結ぶ辺に同じ）とを具備する略平面状の板材である。上端４１は、コンベア３の前面端部３１に所定の間隔を設けて対峙し、位置Ａ４、Ｄ４、Ｃ３、Ｂ３に囲まれた開口部である前面通気部４０を形成し、下端４２は床面１５に設置されている。なお、商品シュータ４の幅（位置Ａ４とＤ４との距離に同じ）はコンベア３の幅（位置Ｂ３とＣ３との距離に同じ）に略同じにしているが、これに限定するものではなく、幅の広いものにして、その側縁４３が側面１９に当接してもよい。
【００２８】
（背面風ガイド）
背面風ガイド７は、上端７１（位置Ａ７とＤ７とを結ぶ辺に同じ）と、下端７２（位置Ｂ７とＣ７とを結ぶ辺に同じ）とを具備する板材であって、所定形状に曲げ加工されている。上端７１は循環ダクト板１７に略気密的に設置され、下端７２は、コンベア３の背面端部３２に所定の間隔を設けて対峙し、位置Ｂ７、Ｃ７、Ｄ３、Ａ３に囲まれた開口部である背面通気部７０を形成している。
なお、コンベア３の背面端部３２および前面端部３１の断面は略円弧状に形成されるため、位置Ａ３、Ｂ３、Ｃ３、Ｄ３は厳密に規定するものではない。
【００２９】
（側面風ガイド）
側面風ガイド８は、上縁８１（位置Ａ８とＤ８とを結ぶ辺に同じ）と、下縁８２（位置Ｂ８とＣ８とを結ぶ辺に同じ）とを具備する板材であって、所定形状に曲げ加工されている。上縁８１は側面１９に略気密的に設置され、下縁８２は、コンベア３の側縁部３３（位置Ｃ３とＤ３とを結ぶ範囲に同じ）に略気密的に対峙している。
また、側面風ガイド８の背面側の端部８３（位置Ａ８とＢ８とを結ぶ範囲に同じ）と、背面風ガイド７は略気密的に対峙または接合されている。
さらに、側面風ガイド８の前面側で、コンベア３の前面端部３１から外れた範囲に、位置Ｃ４、Ｃ８、Ｅ８、Ｅ４で囲まれた範囲に側面補助ガイド８４が設置されている。なお、側面補助ガイド８４は別個の板材を設置したものであっても、あるいは、商品シュータ４または側面風ガイド８の一方と一体に形成されたものであってもよい。
【００３０】
（床面風ガイド）
床面風ガイド９は曲げ加工された板材であって、風上面９１が位置Ａ９、Ｂ９、Ｆ９、Ｅ９を四角とする平面で、水平面９２が位置Ｂ９、Ｃ９、Ｇ９、Ｆ９を四角とする平面で、風下面９３が位置Ｃ９、Ｄ９、Ｈ９、Ｇ９を四角とする平面で、それぞれ形成されている。なお、風上面９１の風上端（位置Ａ９とＥ９を結ぶ辺に同じ）は床面１５に気密的に設置されているから、ファン６によって送り出された空気が床面１５に沿って、床面風ガイド９の懐内に侵入したり、風下面９３の風下端（位置Ｄ９とＨ９を結ぶ辺に同じ）と床面１５との隙間から前面側に流れ出したりすることがない。
なお、床面風ガイド９の幅（位置Ａ９とＥ９との距離に同じ）は熱交換室５９の幅（循環ダクト吹出口１８の幅、位置Ｊ１とＫ１との距離に同じ）に略同じにしているが、これに限定するものではなく、幅の広いものにして、側面１９に当接したり、あるいは、コネクタ２００を設置するために十分な最少の幅にしたりしてもよい。また、水平面９２を省略したり、風下面９３を床面１５に対して傾斜させてもよい。
【００３１】
（ヒータ）
図５は、図１および図２に示す自動販売機のヒータを説明する、（ａ）は側面視の断面図、（ｂ）は正面図である。
自動販売機１００の熱交換室５９は断面矩形の筒状であって、概ね、ファン６を収納する範囲５９ｆ、蒸発器５５を収納する範囲５９ｃ、ヒータ５８を収納する範囲５９ｈ、および吹出端部を形成する範囲５９ｅから形成されている。
そして、ヒータ５８は正面視でコ字状、すなわち、熱交換室５９の天井面（位置Ａ５とＢ５との結ぶ辺に同じ）、側面（位置Ｂ５とＣ５との結ぶ辺に同じ）および床面１５（位置Ｃ５とＤ５との結ぶ辺に同じ）のそれぞれに近接して略平行に形成されている。
したがって、ファン６によって送り出された空気が、かかる天井面、側面および床面に近い範囲に集中して流れる傾向にあるため、流速の速い当該位置において空気は効果的に加熱されることになる。よって、熱交換能力が向上する。
なお、ヒータ５８は図示する形態に限定するものではなく、正面視でロ字状や二字状等であってもよい。
【００３２】
［実施形態２］
図６は本発明の自動販売機に係る実施形態２の構成を模式的に示す側面視の部分拡大断面図である。図６において、自動販売機３００の側面風ガイド８には、空気が通過自在な側面通気孔８５が設けられ、背面風ガイド７の下縁８２（図４参照）はコンベア３の背面端部３２に近接しているため、背面通気部７０がほとんど形成されていない。そして、その他の構成については、自動販売機１００（図１参照）と同じである。
したがって、コンベア３の下方における比較的空気圧の高い空気は、側面通気孔８５および前面通気部４０を経由して、商品ラック２に向かって吹き上げられることになる。よって、前述の実施形態１と同様に、熱交換直後の空気が、商品ラック２の最下端に収納された次販売商品に吹き付けられるから、次販売商品の温度のバラツキが最少になる。また、商品の販売タイミングや商品が収納されている商品ラックの位置等によって、冷却不足や加熱不足が生じることがなくなる。
なお、側面通気孔８５の形状や配置形態は図示するものに限定するものではなく、商品収納室の形状や各機器の配置、商品の種類や季節等に応じて、適宜設定されるものである。また、背面通気部７０を所定の広さに広げて、背面通気部７０を経由する空気の流れを積極的に形成してもよい。
【産業上の利用可能性】
【００３３】
本発明は以上の構成であるから、各種自動販売機における機器配置形態として広く利用することができる。
【図面の簡単な説明】
【００３４】
【図１】本発明の自動販売機に係る実施形態１の構成を模式的に示す断面図。
【図２】本発明の自動販売機に係る実施形態１の構成を模式的に示す拡大断面図。
【図３】図１および図２に示す自動販売機の説明を補足する斜視図。
【図４】図１および図２に示す自動販売機の説明を補足する斜視図。
【図５】図１および図２に示す自動販売機のヒータを説明する断面図と正面図。
【図６】本発明の自動販売機に係る実施形態２の構成を模式的に示す拡大断面図。
【図７】背景技術における自動販売機を示す側面視の縦断面図。
【図８】背景技術における自動販売機の冷却ユニットを示す構成図。
【符号の説明】
【００３５】
１ 商品収納庫
２ 商品ラック
３ コンベア
４ 商品シュータ
５ 熱交換手段
６ ファン
７ 背面風ガイド
８ 側面風ガイド
９ 床面風ガイド
１０ 筐体
１１ 断熱扉
１２ 商品搬出口
１３ 天面
１４ 背面
１５ 床面
１６ 循環ダクト
１７ 循環ダクト板
１８ 循環ダクト吹出口
１９ 側面
３１ 前面端部
３２ 背面端部
３３ 側縁部
４０ 前面通気部
４１ 上端
４２ 下端
４３ 側縁
５０ 冷却ユニット
５１ 圧縮機
５２ 凝縮器
５３ 電磁弁
５４ 膨張機構
５５ 蒸発器
５６ アキュムレータ
５７ 冷媒配管
５８ ヒータ
５９ 熱交換室
７０ 背面通気部
７１ 上端
７２ 下端
８１ 上縁
８２ 下縁
８３ 端部
８４ 側面補助ガイド
８５ 側面通気孔
９１ 風上面
９２ 水平面
９３ 風下面
１００ 自動販売機
２００ コネクタ
３００ 自動販売機
【図１】
2006004322.tif 000003
【図２】
2006004322.tif 000004
【図３】
2006004322.tif 000005
【図４】
2006004322.tif 000006
【図５】
2006004322.tif 000007
【図６】
2006004322.tif 000008
【図７】
2006004322.tif 000009
【図８】
2006004322.tif 000010